【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
無線ＬＡＮ中のアクセス・ポイントに関連付けられていない移動端末をページングする方法であって、
ページング要求をコンバージェンス・レイヤから受け取るステップと、
リンク制御レイヤ中で、前記ページング要求の存在を示すデータを含む同報通信チャネル・メッセージを生成するステップと、
前記リンク制御レイヤ中で、前記ページング要求を表すデータを有する第２の同報通信チャネル・メッセージを生成するステップと、
前記同報通信チャネル・メッセージおよび前記第２の同報通信チャネル・メッセージをデータ・フレーム内で送信するステップと、
を含む、前記方法。
【請求項２】
前記リンク制御レイヤ中で、前記データ・フレームの構造に関連するデータと、前記第２の同報通信チャネル・メッセージに関する情報とを有する第３の同報通信チャネル・メッセージを生成するステップを含み、
前記送信するステップが、前記同報通信チャネル・メッセージ、前記第２の同報通信チャネル・メッセージ、前記第３の同報通信チャネル・メッセージを前記データ・フレーム中で送信することを含む、請求項１に記載の方法。
【請求項３】
前記第３の同報通信チャネル・メッセージが、前記データ・フレーム中における前記第２の同報通信チャネルの位置を示すデータを含む、請求項２に記載の方法。
【請求項４】
前記無線ＬＡＮが、Ｈｉｐｅｒｌａｎ２技術仕様に準拠する無線ＬＡＮを含み、前記同報通信チャネル・メッセージが、同報通信チャネル（ＢＣＣＨ）メッセージに対応し、前記第２の同報通信チャネルが、無線同報通信チャネル（ＲＢＣＨ）メッセージに対応し、前記第３の同報通信チャネルが、フレーム制御チャネル（ＦＣＣＨ）メッセージに対応する、請求項２に記載の方法。
【請求項５】
前記無線同報通信チャネル（ＲＢＣＨ）が、ロング・チャネル（ＬＣＨ）中で伝送される、請求項４に記載の方法。
【請求項６】
前記無線同報通信チャネル（ＲＢＣＨ）が、ターゲット識別フォーマット・フィールド、ターゲット識別フィールド、ソース識別エクステンション・フォーマット・フィールド、ソース識別エクステンション・フィールドを含む、請求項５に記載の方法。
【請求項７】
前記同報通信チャネル・メッセージをチェックする周期的期間を、前記移動端末と取り決めるステップと、
前記取り決めた周期的期間に対応する期間の間だけ、前記同報通信チャネル・メッセージおよび前記第２の同報通信チャネル・メッセージを送信するステップとを含む、請求項１に記載の方法。
【請求項８】
前記取り決めた周期的期間が、複数のページング・グループのうちの選択された１つに関連する、請求項７に記載の方法。
【請求項９】
前記第２の同報通信チャネル・メッセージが、ターゲット識別フォーマット・フィールド、ソース識別エクステンション・フォーマット・フィールド、ソース識別エクステンション・フィールドを含む、請求項８に記載の方法。
【請求項１０】
ネットワーク・アクセス・ポイントに現在関連付けられていない移動端末にページング要求を送信するためのネットワーク・アクセス・ポイントであって、
ページング要求を受信するための受信手段と、
前記ページング要求の存在を示すデータを有する第１の同報通信チャネル・メッセージを生成するためのリンク制御レイヤであって、前記ページング要求を表すデータを有する第２の同報通信チャネル・メッセージも生成する、前記リンク制御レイヤと、
前記第１の同報通信チャネル・メッセージおよび前記第２の同報通信チャネル・メッセージをデータ・フレーム中で送信するために前記リンク制御レイヤに結合された送信手段と、
を備える、前記ネットワーク・アクセス・ポイント。
【請求項１１】
前記リンク制御レイヤが、前記データ・フレーム内における前記第２の同報通信チャネル・メッセージの位置を示すデータを有する第３の同報通信チャネル・メッセージを生成し、前記送信手段が、前記同報通信チャネル、前記第２の同報通信チャネル、前記第３の同報通信チャネルを前記データ・フレーム中で送信する、請求項１０に記載のネットワーク・アクセス・ポイント。
【請求項１２】
前記送信手段が、Ｈｉｐｅｒｌａｎ２に従って前記データ・フレームを送信し、前記同報通信チャネル・メッセージが、同報通信チャネル（ＢＣＣＨ）メッセージに対応し、前記第２の同報通信チャネル・メッセージが、無線同報通信チャネル（ＲＢＣＨ）メッセージに対応し、前記第３の同報通信チャネル・メッセージが、フレーム制御チャネル（ＦＣＣＨ）メッセージに対応する、請求項１１に記載のネットワーク・アクセス・ポイント。
【請求項１３】
前記送信手段が、前記無線同報通信チャネル（ＲＢＣＨ）をロング・チャネル（ＬＣＨ）中で送信する、請求項１２に記載のネットワーク・アクセス・ポイント。
【請求項１４】
前記送信手段が、ターゲット・デバイスのページング・グループで定義される所定の期間の間に前記ページング要求を送信する、請求項１０に記載のネットワーク・アクセス・ポイント。
【請求項１５】
ページング要求を受信するために、アクセス・ポイントに関連付けられていないユーザ・デバイスを制御する方法であって、
同報通信チャネル・メッセージをチェックして、第２の同報通信チャネル・メッセージを示すデータが、データ・フレーム中にあるかどうかを調べるステップと、
前記第２の同報通信チャネル・メッセージを示すデータに応答して、前記第２の同報通信チャネル・メッセージを検出し、前記メッセージがページング要求を含むかどうかを決定するステップと、
前記ページング要求が、前記ユーザ・デバイスに向けられたものかどうかを決定するステップと、
前記ページング要求が、前記ユーザ・デバイスに向けられたものであるという決定に応答して、関連付けプロシージャを開始して前記アクセス・ポイントとの接続を確立し、前記ページング要求に対する応答を送信するステップと、
を含む、前記方法。
【請求項１６】
前記データ・フレーム中における前記第２の同報通信チャネル・メッセージの位置を示すデータを有する第３の同報通信チャネル・メッセージを検出するステップと、前記第３の同報通信チャネル・メッセージに応答して前記第２の同報通信チャネル・メッセージを獲得するステップとを含む、請求項１５に記載の方法。
【請求項１７】
前記移動端末が、Ｈｉｐｅｒｌａｎ２技術仕様に従って動作し、
前記チェックするステップが、同報通信チャネル（ＢＣＣＨ）メッセージをチェックすることを含み、前記検出するステップが、無線同報通信チャネル（ＲＢＣＨ）メッセージおよびフレーム制御チャネル（ＦＣＣＨ）メッセージを検出するステップを含む、請求項１６に記載の方法。
【請求項１８】
前記アクセス・ポイントと結合して、ページング要求を受信する所定の周期的期間に関連するページング・グループを取り決め、その後、前記アクセス・ポイントから切断して、前記ページング・グループに関連する前記時間期間の間だけ前記同報通信チャネル・メッセージをチェックするステップを含む、請求項１５に記載の方法。
【手続補正２】
【補正対象書類名】明細書
【補正対象項目名】発明の名称
【補正方法】変更
【補正の内容】
【発明の名称】移動端末をページングする方法、移動端末にページング要求を送信するためのネットワーク・アクセス・ポイントおよびユーザ・デバイスを制御する方法